(57)【要約】【課題】ＢＬＥデバイスの利用開始時のユーザの利便性を向上させる。【解決手段】ユーザが情報端末１でＢＬＥアプリ１００を起動すると、ＢＬＥアプリ１００がＢＬＥデバイス３と自動的にペアリングを行い、ＢＬＥアプリ１００がＢＬＥデバイス３からサービス情報（ＵＵＩＤ）を取得してデータベースサーバ２へ送信し、データベースサーバ２がデータベース２４を参照してＢＬＥデバイス３のデバイス名やデバイス型番を判別し、デバイス名やデバイス型番をもとに対応アプリの情報をアプリマーケット４で検索して対応アプリの情報を取得し、情報端末１がデータベースサーバ２から対応アプリの情報を受信してユーザに提示する。【選択図】図１
2017175411.tif 000002
【特許請求の範囲】
【請求項１】
情報端末とデバイス判別装置を有し、前記情報端末に接続された通信デバイスを判別するデバイス判別システムであって、
前記情報端末は、
前記通信デバイスと通信するためのペアリングを自動的に行うペアリング手段と、
前記通信デバイスから当該通信デバイスの持つ機能を表すサービス情報を取得するサービス情報取得手段と、
前記サービス情報を送信して、前記通信デバイスに対応するアプリケーションの情報を取得するアプリケーション情報取得手段と、
前記アプリケーションの情報を提示する表示手段と、を有し、
前記デバイス判別装置は、
前記サービス情報と前記通信デバイスの情報とを関連付けて格納した格納手段と、
前記サービス情報を受信し、前記格納手段を参照して前記サービス情報に対応する前記通信デバイスの情報を判別する通信デバイス判別手段と、
前記通信デバイスの情報に基づいて当該通信デバイスに対応するアプリケーションの情報を検索するアプリケーション情報検索手段と、
前記アプリケーションの情報を送信する送信手段と、を有すること
を特徴とするデバイス判別システム。
【請求項２】
通信デバイスに接続して通信可能で、当該通信デバイスに対応するアプリケーションを実行可能な情報端末であって、
前記通信デバイスと通信するためのペアリングを自動的に行うペアリング手段と、
前記通信デバイスから当該通信デバイスの持つ機能を表すサービス情報を取得するサービス情報取得手段と、
前記サービス情報を送信して、前記通信デバイスに対応するアプリケーションの情報を取得するアプリケーション情報取得手段と、
前記アプリケーションの情報を提示する表示手段と、
を有することを特徴とする情報端末。
【請求項３】
通信デバイスの持つ機能を表すサービス情報と前記通信デバイスの情報とを関連付けて格納した格納手段と、
前記サービス情報を受信し、前記格納手段を参照して当該サービス情報に対応する前記通信デバイスの情報を判別する通信デバイス判別手段と、
前記通信デバイスの情報に基づいて当該通信デバイスに対応するアプリケーションの情報を検索するアプリケーション情報検索手段と、
前記アプリケーションの情報を送信する送信手段と、
を有することを特徴とするデバイス判別装置。
【請求項４】
情報端末とデバイス判別装置を有するデバイス判別システムによって実行される、前記情報端末に接続された通信デバイスを判別するデバイス判別方法であって、
前記情報端末による、
前記通信デバイスと通信するためのペアリングを行うステップと、
前記通信デバイスから当該通信デバイスの持つ機能を表すサービス情報を取得するステップと、
前記サービス情報を送信するステップと、
前記通信デバイスに対応するアプリケーションの情報を取得するステップと、
前記アプリケーションの情報を提示するステップと、を有し、
前記デバイス判別装置による、
前記サービス情報を受信するステップと、
前記サービス情報と前記通信デバイスの情報とを関連付けて格納した格納手段を参照して受信した前記サービス情報に対応する前記通信デバイスの情報を判別するステップと、
前記通信デバイスの情報に基づいて当該通信デバイスに対応するアプリケーションの情報を検索するステップと、
前記アプリケーションの情報を送信するステップと、を有すること
を特徴とするデバイス判別方法。
【発明の詳細な説明】
【技術分野】
【０００１】
本発明は、情報端末に接続される通信デバイスを判別する技術に関する。
【背景技術】
【０００２】
Ｂｌｕｅｔｏｏｔｈ（登録商標）は、短距離通信規格として家庭向けの通信機器を中心として多く採用されている。現在は、Ｂｌｕｅｔｏｏｔｈの最新規格であるＢｌｕｅｔｏｏｔｈ４．０（Ｂｌｕｅｔｏｏｔｈ  Ｌｏｗ  Ｅｎｅｒｇｙ：ＢＬＥ）が主流である。ＢＬＥを利用した通信機器（以下、「ＢＬＥデバイス」と称する）は、スマートフォンのアプリケーションとともに提供されることがある。例えば非特許文献１のＢＬＥデバイスも専用のアプリケーションをスマートフォンにインストールして利用する。
【先行技術文献】
【非特許文献】
【０００３】
【非特許文献１】「ムーヴバンド  ＷＭＢ−０１−ＧＲ／ＷＭＢ−０１−Ｋ  取扱説明書」、ドコモ・ヘルスケア株式会社
【発明の概要】
【発明が解決しようとする課題】
【０００４】
ＢＬＥデバイスの利用を開始する際には、ＢＬＥデバイスに対応するスマートフォンアプリケーションのダウンロードやＢＬＥデバイスとスマートフォンとをペアリングする作業が必要であり、ＢＬＥデバイスの利用を開始するまでの作業が煩わしいという問題があった。例えば、非特許文献１では、ＢＬＥデバイスの利用を開始するときは、スマートフォンの設定を操作してＢＬＥデバイスとスマートフォンをペアリングし、さらに非特許文献１に記載されたＵＲＬ（Ｕｎｉｆｏｒｍ  Ｒｅｓｏｕｒｃｅ  Ｌｏｃａｔｏｒ）へアクセスして対応するアプリケーションをダウンロードする必要がある。
【０００５】
本発明は、上記に鑑みてなされたものであり、ＢＬＥデバイスの利用開始時のユーザの利便性を向上させることを目的とする。
【課題を解決するための手段】
【０００６】
第１の本発明に係るデバイス判別システムは、情報端末とデバイス判別装置を有し、前記情報端末に接続された通信デバイスを判別するデバイス判別システムであって、前記情報端末は、前記通信デバイスと通信するためのペアリングを自動的に行うペアリング手段と、前記通信デバイスから当該通信デバイスの持つ機能を表すサービス情報を取得するサービス情報取得手段と、前記サービス情報を送信して、前記通信デバイスに対応するアプリケーションの情報を取得するアプリケーション情報取得手段と、前記アプリケーションの情報を提示する表示手段と、を有し、前記デバイス判別装置は、前記サービス情報と前記通信デバイスの情報とを関連付けて格納した格納手段と、前記サービス情報を受信し、前記格納手段を参照して前記サービス情報に対応する前記通信デバイスの情報を判別する通信デバイス判別手段と、前記通信デバイスの情報に基づいて当該通信デバイスに対応するアプリケーションの情報を検索するアプリケーション情報検索手段と、前記アプリケーションの情報を送信する送信手段と、を有することを特徴とする。
【０００７】
第２の本発明に係る情報端末は、通信デバイスに接続して通信可能で、当該通信デバイスに対応するアプリケーションを実行可能な情報端末であって、前記通信デバイスと通信するためのペアリングを自動的に行うペアリング手段と、前記通信デバイスから当該通信デバイスの持つ機能を表すサービス情報を取得するサービス情報取得手段と、前記サービス情報を送信して、前記通信デバイスに対応するアプリケーションの情報を取得するアプリケーション情報取得手段と、前記アプリケーションの情報を提示する表示手段と、を有することを特徴とする。
【０００８】
第３の本発明に係るデバイス判別装置は、通信デバイスの持つ機能を表すサービス情報と前記通信デバイスの情報とを関連付けて格納した格納手段と、前記サービス情報を受信し、前記格納手段を参照して当該サービス情報に対応する前記通信デバイスの情報を判別する通信デバイス判別手段と、前記通信デバイスの情報に基づいて当該通信デバイスに対応するアプリケーションの情報を検索するアプリケーション情報検索手段と、前記アプリケーションの情報を送信する送信手段と、を有することを特徴とする。
【０００９】
第４の本発明に係るデバイス判別方法は、情報端末とデバイス判別装置を有するデバイス判別システムによって実行される、前記情報端末に接続された通信デバイスを判別するデバイス判別方法であって、前記情報端末による、前記通信デバイスと通信するためのペアリングを行うステップと、前記通信デバイスから当該通信デバイスの持つ機能を表すサービス情報を取得するステップと、前記サービス情報を送信するステップと、前記通信デバイスに対応するアプリケーションの情報を取得するステップと、前記アプリケーションの情報を提示するステップと、を有し、前記デバイス判別装置による、前記サービス情報を受信するステップと、前記サービス情報と前記通信デバイスの情報とを関連付けて格納した格納手段を参照して受信した前記サービス情報に対応する前記通信デバイスの情報を判別するステップと、前記通信デバイスの情報に基づいて当該通信デバイスに対応するアプリケーションの情報を検索するステップと、前記アプリケーションの情報を送信するステップと、を有することを特徴とする。
【発明の効果】
【００１０】
本発明によれば、ＢＬＥデバイスの利用開始時のユーザの利便性を向上させることができる。
【図面の簡単な説明】
【００１１】
【図１】本実施の形態における情報端末とデータベースサーバを含むデバイス判別システムの全体構成図である。
【図２】データベースサーバが保持するデータの例を示す図である。
【図３】本実施の形態におけるデバイス判別システムの処理の流れを示すシーケンス図である。
【発明を実施するための形態】
【００１２】
以下、本発明の実施の形態について図面を用いて説明する。
【００１３】
図１は、本実施の形態における情報端末１とデータベースサーバ２を含むデバイス判別システムの全体構成図である。
【００１４】
情報端末１はＢＬＥデバイス３を接続できる。情報端末１は、アプリマーケット４からＢＬＥデバイス３に対応するアプリケーション（以下、「対応アプリ」と称する）をダウンロードして動作させることができる。
【００１５】
データベースサーバ２は、情報端末１からの問い合わせに応じてアプリマーケット４でＢＬＥデバイス３の対応アプリを検索し、対応アプリの情報を返信する。
【００１６】
アプリマーケット４は、情報端末１で実行可能なアプリケーションを保持して配信する。また、アプリマーケット４は、データベースサーバ２からの問い合わせに対し、条件に合致したアプリケーションの情報を提供する。
【００１７】
以下、情報端末１及びデータベースサーバ２について説明する。
【００１８】
情報端末１は、ペアリング部１１、読取部１２、送信部１３、及び表示部１４を備える。
【００１９】
ペアリング部１１は、Ｂｌｕｅｔｏｏｔｈの規格に沿った手順で、ＢＬＥデバイス３を発見し、ＢＬＥデバイス３との間で自動でペアリングを行って、ＢＬＥデバイス３と情報端末１とを接続する。
【００２０】
読取部１２は、情報端末１に接続されたＢＬＥデバイス３からサービス情報（Ｕｎｉｖｅｒｓａｌｌｙ  Ｕｎｉｑｕｅ  ＩＤｅｎｔｉｆｉｅｒ：ＵＵＩＤ）を読み取る。読取部１２が読み取るサービス情報（ＵＵＩＤ）は、ＢＬＥデバイス３の持つ機能（ｓｅｒｖｉｃｅ）を識別するために使われる１２８ビットあるいは１６ビットの一意のアドレスである。サービス情報（ＵＵＩＤ）は、ＧＡＴＴ（Ｇｅｎｅｒｉｃ  Ａｔｔｒｉｂｕｔｅ  Ｐｒｏｆｉｌｅ）で定義される。読取部１２は、Ｂｌｕｅｔｏｏｔｈの規格に沿った手順で、ＢＬＥデバイス３からサービス情報（ＵＵＩＤ）を取得する。
【００２１】
送信部１３は、読取部１２で読み取ったサービス情報（ＵＵＩＤ）をデータベースサーバ２へ送信し、接続されたＢＬＥデバイス３の対応アプリの情報を問い合わせる。
【００２２】
表示部１４は、データベースサーバ２から対応アプリの情報を受信してユーザに提示する。ユーザから確認が得られたときは、アプリマーケット４から対応アプリをダウンロードしてインストールする。
【００２３】
送信部１３と表示部１４の機能を備えたアプリケーション（以下、「ＢＬＥアプリ」と称する）を情報端末１で動作させて本実施の形態の情報端末１を構成してもよい。ペアリング部１１と読取部１２は情報端末１のオペレーティングシステムが備える機能を利用して、自動ペアリングとサービス情報（ＵＵＩＤ）の読み取りを行わせる。
【００２４】
データベースサーバ２は、受信部２１、アプリ検索部２２、送信部２３、及びデータベース２４を備える。
【００２５】
受信部２１は、情報端末１からサービス情報（ＵＵＩＤ）を受信する。
【００２６】
アプリ検索部２２は、ＵＵＩＤにデバイス名とデバイス型番を関連付けたデータを格納したデータベース２４を参照し、情報端末１から受信したサービス情報（ＵＵＩＤ）で識別される機能を持つＢＬＥデバイス３を特定し、ＢＬＥデバイス３のデバイス名やデバイス型番を判別して、デバイス名やデバイス型番をもとに対応アプリの情報をアプリマーケット４に問い合わせる。図２に、データベース２４に格納されるデータの例を示す。図２の例では、図２のＵＵＩＤの欄に記載された全てのＵＵＩＤをＢＬＥデバイス３の機能として情報端末１から受信したときに、ＢＬＥデバイス３のデバイス型番が「ＡＢＣ−ＸＸＸＸ」であって、デバイス名が「ＡＡＡＡＡ」であると判別する。
【００２７】
送信部２３は、アプリマーケット４から対応アプリの情報を受信して情報端末１へ送信する。
【００２８】
情報端末１及びデータベースサーバ２が備える各部は、演算処理装置、記憶装置等を備えたコンピュータにより構成して、各部の処理がプログラムによって実行されるものとしてもよい。このプログラムは情報端末１及びデータベースサーバ２が備える記憶装置に記憶されており、磁気ディスク、光ディスク、半導体メモリ等の記録媒体に記録することも、ネットワークを通して提供することも可能である。情報端末１としては、例えばスマートフォン、タブレット端末、あるいはセットトップボックスを利用することができる。
【００２９】
次に、本実施の形態におけるデバイス判別システムの動作について説明する。
【００３０】
図３は、本実施の形態におけるデバイス判別システムの処理の流れを示すシーケンス図である。
【００３１】
ＢＬＥデバイス３と情報端末１とは接続されておらず、情報端末１にはＢＬＥデバイス３の対応アプリがインストールされていないものとする。
【００３２】
ユーザは、ＢＬＥデバイス３を利用するとき、ＢＬＥデバイス３の電源を入れ（ステップＳ１０１）、ＢＬＥアプリ１００を起動する（ステップＳ１０２）。
【００３３】
ＢＬＥデバイス３はＢｌｕｅｔｏｏｔｈの規格に沿ってアドバタイズパケットを送信し（ステップＳ１０３）、情報端末１はアドバタイズパケットを受信してＢＬＥデバイス３を発見する（ステップＳ１０４）。
【００３４】
情報端末１がＢＬＥデバイス３を発見した後、情報端末１はＢＬＥデバイス３に接続を要求し、自動的にペアリングを行う（ステップＳ１０５）。ペアリングによって交換した鍵を情報端末１とＢＬＥデバイス３が保持することで再度のペアリングが不要となる。
【００３５】
情報端末１はＢＬＥデバイス３に接続すると、情報端末１はＢＬＥデバイス３にサービス情報（ＵＵＩＤ）を要求し（ステップＳ１０６）、ＢＬＥデバイス３からサービス情報（ＵＵＩＤ）を取得する（ステップＳ１０７）。
【００３６】
情報端末１は取得したサービス情報（ＵＵＩＤ）をデータベースサーバ２へ送信して対応アプリを問い合わせる（ステップＳ１０８）。
【００３７】
データベースサーバ２は、受信したサービス情報（ＵＵＩＤ）をもとにＢＬＥデバイス３のデバイス名やデバイス型番を判別し（ステップＳ１０９）、判別したデバイス名やデバイス型番をキーとしてアプリマーケット４で対応アプリを検索する（ステップＳ１１０）。
【００３８】
アプリマーケット４は、検索条件にマッチする対応アプリのダウンロード先をデータベースサーバ２へ通知する（ステップＳ１１１）。
【００３９】
データベースサーバ２は、アプリマーケット４から通知された対応アプリのダウンロード先を情報端末１へ通知する（ステップＳ１１２）。
【００４０】
情報端末１は、通知された対応アプリのダウンロード先を表示する（ステップＳ１１３）。
【００４１】
ユーザが対応アプリのインストールを承認すると、情報端末１はアプリマーケット４が通知したダウンロード先から対応アプリをダウンロードしてインストールする（ステップＳ１１４）。なお、検索条件にマッチする対応アプリが複数存在する場合は、ステップＳ１１３で複数の対応アプリを表示し、ステップＳ１１４でユーザが選択した対応アプリをインストールする。
【００４２】
対応アプリがインストールされた後、対応アプリを起動すると、対応アプリとＢＬＥデバイス３が通信を行い、対応アプリを通じてＢＬＥデバイス３を利用可能となる。対応アプリをインストール後にＢＬＥアプリ１００を終了して対応アプリを起動しても、情報端末１とＢＬＥデバイス３との間の接続は維持されたままであり、対応アプリがＢＬＥデバイス３との間の接続を再度確立する必要はない。また、ＢＬＥデバイス３の電源が切られて情報端末１とＢＬＥデバイス３との間の接続が切断された場合であっても、ＢＬＥデバイス３の電源が入れられると、ステップＳ１０５のペアリングで交換した鍵が保持されていれば、情報端末１とＢＬＥデバイス３は接続されて、対応アプリとＢＬＥデバイス３は通信可能になる。
【００４３】
なお、ステップＳ１１２で通知された対応アプリが既に情報端末１にインストールされている場合は、ステップＳ１１３において、対応アプリが既にインストールされていることをユーザに通知し、情報端末１は対応アプリを起動するか否かユーザに尋ねてもよい。
【００４４】
以上説明したように、本実施の形態によれば、ユーザが情報端末１でＢＬＥアプリ１００を起動すると、ＢＬＥアプリ１００がＢＬＥデバイス３と自動的にペアリングを行い、ＢＬＥアプリ１００がＢＬＥデバイス３からサービス情報（ＵＵＩＤ）を取得してデータベースサーバ２へ送信し、データベースサーバ２がデータベース２４を参照してＢＬＥデバイス３のデバイス名やデバイス型番を判別し、デバイス名やデバイス型番をもとに対応アプリの情報をアプリマーケット４で検索して対応アプリの情報を取得し、情報端末１がデータベースサーバ２から対応アプリの情報を受信してユーザに提示する。これにより、ユーザは、新たなＢＬＥデバイス３を情報端末１で利用するときに、ＢＬＥデバイス３の電源を入れてＢＬＥアプリ１００を起動するだけでペアリングと対応アプリの取得が行えるので、ＢＬＥデバイスの利用開始時のユーザの利便性を向上できる。
【００４５】
本実施の形態によれば、ＢＬＥデバイス３の持つ機能を識別するために使われるサービス情報（ＵＵＩＤ）をもとにＢＬＥデバイス３のデバイス名やデバイス型番を判別し、判別したデバイス名やデバイス型番をもとに対応アプリを検索するので、例えば、情報端末１に接続されたデバイスがＢＬＥデバイス３の新型であってデバイス名やデバイス型番がデータベース２４に登録されていなくても、情報端末１に接続されたデバイスの機能を利用する対応アプリを検索することができる。
【符号の説明】
【００４６】
１…情報端末
１１…ペアリング部
１２…読取部
１３…送信部
１４…表示部
１００…ＢＬＥアプリ
２…データベースサーバ
２１…受信部
２２…アプリ検索部
２３…送信部
２４…データベース
３…ＢＬＥデバイス
４…アプリマーケット
【図１】
2017175411.tif 000003
【図２】
2017175411.tif 000004
【図３】
2017175411.tif 000005
【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
情報端末とデバイス判別装置を有し、前記情報端末に接続された通信デバイスを判別するデバイス判別システムであって、
前記情報端末は、
前記通信デバイスとデータを送受信するためのペアリングを自動的に行うペアリング手段と、
前記通信デバイスから当該通信デバイスの持つ機能を表すサービス情報を取得するサービス情報取得手段と、
前記サービス情報を送信して、前記通信デバイスに対応するアプリケーションの情報を取得するアプリケーション情報取得手段と、
前記アプリケーションの情報を提示する表示手段と、を有し、
前記デバイス判別装置は、
前記サービス情報と前記通信デバイスの情報とを関連付けて格納した格納手段と、
前記サービス情報を受信し、前記格納手段を参照して前記サービス情報に対応する前記通信デバイスの情報を判別する通信デバイス判別手段と、
前記通信デバイスの情報に基づいて当該通信デバイスに対応するアプリケーションの情報を検索するアプリケーション情報検索手段と、
前記アプリケーションの情報を送信する送信手段と、を有すること
を特徴とするデバイス判別システム。
【請求項２】
通信デバイスに接続して通信可能で、当該通信デバイスに対応するアプリケーションを実行可能な情報端末であって、
前記通信デバイスとデータを送受信するためのペアリングを自動的に行うペアリング手段と、
前記通信デバイスから当該通信デバイスの持つ機能を表すサービス情報を取得するサービス情報取得手段と、
前記サービス情報を送信して、前記通信デバイスに対応するアプリケーションの情報を取得するアプリケーション情報取得手段と、
前記アプリケーションの情報を提示する表示手段と、
を有することを特徴とする情報端末。
【請求項３】
通信デバイスの持つ機能を表すサービス情報と前記通信デバイスの情報とを関連付けて格納した格納手段と、
前記サービス情報を受信し、前記格納手段を参照して当該サービス情報に対応する前記通信デバイスの情報を判別する通信デバイス判別手段と、
前記通信デバイスの情報に基づいて当該通信デバイスに対応するアプリケーションの情報を検索するアプリケーション情報検索手段と、
前記アプリケーションの情報を送信する送信手段と、
を有することを特徴とするデバイス判別装置。
【請求項４】
情報端末とデバイス判別装置を有するデバイス判別システムによって実行される、前記情報端末に接続された通信デバイスを判別するデバイス判別方法であって、
前記情報端末による、
前記通信デバイスとデータを送受信するためのペアリングを自動的に行うステップと、
前記通信デバイスから当該通信デバイスの持つ機能を表すサービス情報を取得するステップと、
前記サービス情報を送信するステップと、
前記通信デバイスに対応するアプリケーションの情報を取得するステップと、
前記アプリケーションの情報を提示するステップと、を有し、
前記デバイス判別装置による、
前記サービス情報を受信するステップと、
前記サービス情報と前記通信デバイスの情報とを関連付けて格納した格納手段を参照して受信した前記サービス情報に対応する前記通信デバイスの情報を判別するステップと、
前記通信デバイスの情報に基づいて当該通信デバイスに対応するアプリケーションの情報を検索するステップと、
前記アプリケーションの情報を送信するステップと、を有すること
を特徴とするデバイス判別方法。
【手続補正２】
【補正対象書類名】明細書
【補正対象項目名】０００６
【補正方法】変更
【補正の内容】
【０００６】
第１の本発明に係るデバイス判別システムは、情報端末とデバイス判別装置を有し、前記情報端末に接続された通信デバイスを判別するデバイス判別システムであって、前記情報端末は、前記通信デバイスとデータを送受信するためのペアリングを自動的に行うペアリング手段と、前記通信デバイスから当該通信デバイスの持つ機能を表すサービス情報を取得するサービス情報取得手段と、前記サービス情報を送信して、前記通信デバイスに対応するアプリケーションの情報を取得するアプリケーション情報取得手段と、前記アプリケーションの情報を提示する表示手段と、を有し、前記デバイス判別装置は、前記サービス情報と前記通信デバイスの情報とを関連付けて格納した格納手段と、前記サービス情報を受信し、前記格納手段を参照して前記サービス情報に対応する前記通信デバイスの情報を判別する通信デバイス判別手段と、前記通信デバイスの情報に基づいて当該通信デバイスに対応するアプリケーションの情報を検索するアプリケーション情報検索手段と、前記アプリケーションの情報を送信する送信手段と、を有することを特徴とする。
【手続補正３】
【補正対象書類名】明細書
【補正対象項目名】０００７
【補正方法】変更
【補正の内容】
【０００７】
第２の本発明に係る情報端末は、通信デバイスに接続して通信可能で、当該通信デバイスに対応するアプリケーションを実行可能な情報端末であって、前記通信デバイスとデータを送受信するためのペアリングを自動的に行うペアリング手段と、前記通信デバイスから当該通信デバイスの持つ機能を表すサービス情報を取得するサービス情報取得手段と、前記サービス情報を送信して、前記通信デバイスに対応するアプリケーションの情報を取得するアプリケーション情報取得手段と、前記アプリケーションの情報を提示する表示手段と、を有することを特徴とする。
【手続補正４】
【補正対象書類名】明細書
【補正対象項目名】０００９
【補正方法】変更
【補正の内容】
【０００９】
第４の本発明に係るデバイス判別方法は、情報端末とデバイス判別装置を有するデバイス判別システムによって実行される、前記情報端末に接続された通信デバイスを判別するデバイス判別方法であって、前記情報端末による、前記通信デバイスとデータを送受信するためのペアリングを自動的に行うステップと、前記通信デバイスから当該通信デバイスの持つ機能を表すサービス情報を取得するステップと、前記サービス情報を送信するステップと、前記通信デバイスに対応するアプリケーションの情報を取得するステップと、前記アプリケーションの情報を提示するステップと、を有し、前記デバイス判別装置による、前記サービス情報を受信するステップと、前記サービス情報と前記通信デバイスの情報とを関連付けて格納した格納手段を参照して受信した前記サービス情報に対応する前記通信デバイスの情報を判別するステップと、前記通信デバイスの情報に基づいて当該通信デバイスに対応するアプリケーションの情報を検索するステップと、前記アプリケーションの情報を送信するステップと、を有することを特徴とする。